(57)【要約】【課題】ストレージ媒体上にコンテンツ情報を保存するために提供される改良されたビデオレコーダを提案する。【解決手段】オーディオ／ビジュアルストレージ媒体（９００）に関するコンテンツ情報の更新の方法で、コンテンツ情報（ＣＩＰ、ＣＩＤ、ＣＩＬ）を生成した後、該コンテンツ情報（ＣＩＰ、ＣＩＤ、ＣＩＬ）が、ストレージ媒体（９００）上に保存される。更新コンテンツ情報（ＣＩＰ、ＣＩＤ、ＣＩＬ）が、ストレージ媒体（９００）上に保存されたデータストリーム（９０１）のユーザデータエリア（９０２、９１２）の中に保存される。【選択図】図８
2008503017.tif 000002
【特許請求の範囲】
【請求項１】
コンテンツ情報（ＣＩＰ、ＣＩＤ、ＣＩＬ）を生成した後、該コンテンツ情報（ＣＩＰ、ＣＩＤ、ＣＩＬ）が、ストレージ媒体（９００）上に保存されるオーディオ／ビジュアルストレージ媒体（９００）に関するコンテンツ情報の更新の方法であって、
更新コンテンツ情報（ＣＩＰ、ＣＩＤ、ＣＩＬ）が、ストレージ媒体（９００）上に保存されたデータストリーム（９０１）のユーザデータエリア（９０２、９１２）の中に保存されることを特徴とするコンテンツ情報の更新の方法。
【請求項２】
データストリームのユーザデータエリアが、
−管理情報（ＩＮＦ）データストリームのユーザデータエリア
−オーディオ／ビデオ（ＡＵＤ、ＶＩＤ）データストリームのユーザデータエリア
−補助（ＡＵＸ）データストリームのユーザデータエリア
のいずれか１つであることを特徴とする請求項１に記載の方法。
【請求項３】
データストリームのユーザデータエリア（９０２、９１２）の中に保存されたコンテンツ情報が、
−それぞれのデータストリーム部分（９０３、９１３）に関係したコンテンツ情報（ＣＩＰ）
−それぞれのストレージ媒体（１）に関係したコンテンツ情報（ＣＩＤ）
−多数のストレージ媒体（１）に関係したコンテンツ情報（ＣＩＬ）
のいずれか１つであることを特徴とする請求項１又は２に記載の方法。
【請求項４】
ストレージ媒体（１）上に保存されたコンテンツ情報（ＣＩＰ、ＣＩＤ、ＣＩＬ）と、読み出し及び／又は記録装置上に存在するコンテンツ情報（ＣＩＰ、ＣＩＤ、ＣＩＬ）とが、ストレージ媒体（１）が装置に挿入される又は装置から取り出される毎に比較され、それぞれの古い情報の更新が可能なところで行われることを特徴とする請求項１から３のいずれか１項に記載の方法。
【請求項５】
コンテンツ情報（ＣＩＰ、ＣＩＤ、ＣＩＬ）が、ジャンル情報、ストレージ媒体の名前、タイトルの名前、及び関連したデータの名前の１つ又は複数を含んでいることを特徴とする請求項１から４のいずれか１項に記載の方法。
【請求項６】
請求項１から５のいずれか１項に記載の方法を実行するための装置。
【請求項７】
ストレージ媒体上に記録されたデータストリームのユーザデータエリアの中に保存されているコンテンツ情報を含んでいるストレージ媒体。
【発明の詳細な説明】
【技術分野】
【０００１】
本発明はビデオ記録装置に関し、より詳細にはハードディスクレコーダ又は光ディスクレコーダのようなディスク記録装置に関する。
【背景技術】
【０００２】
特許文献１より、コンテンツ情報を生成した後、コンテンツ情報をストレージ媒体上に保存するために提供されるビデオレコーダが知られている。
【特許文献１】欧州特許出願公開  第４２４６５３号
【発明の開示】
【発明が解決しようとする課題】
【０００３】
本発明は、ストレージ媒体上にコンテンツ情報を保存するために提供される改良されたビデオレコーダを提案することを目的とする。
【課題を解決するための手段】
【０００４】
本発明によれば、オーディオ／ビジュアルストレージ媒体に関するコンテンツ情報、特に更新されたコンテンツ情報は、ストレージ媒体上に保存されたデータストリームのユーザデータエリアの中に保存される。これは、コンテンツ情報が定まった位置に保存される、及び、コンテンツ情報がデータストリームと一緒にあるために、コンテンツ情報が簡単に発見できると効果を有する。さらに、ストレージ媒体が、再書き込み可能なストレージ媒体であっても更新することが簡単である。ＭＰＥＧエンコードされた信号の場合、あるグループ又はパケット又は他の適切な部分は、この結果変化し、再度記録される。本発明の方法は、ユーザデータエリアが標準によって規定されていない予約されたエリアであるため、上記方法を適用できない他の従来の装置又は処理に影響を与えないという更なる効果を持っている。本発明に使用されるオーディオ／ビジュアルストレージ媒体の例は、ＤＶＤビデオディスク又はいわゆるＶＣＤであり、両者はビデオデータと同様にオーディオデータを保存するために提供されている。オーディオストレージのために提供されているストレージ媒体の例は、従来のＣＤ又はＤＶＤオーディオである。
【０００５】
本発明によるデータストリームのユーザデータエリアは、管理情報データストリーム、又はオーディオ／ビデオデータストリーム、又は補助データストリームのユーザデータエリアである。これらの組み合わせも本発明の範囲内である。管理情報データストリームのユーザデータエリアの中にコンテンツ情報を置く効果は、これが完全なストレージ媒体を参照する、及び／又は、定まったストレージ媒体データ管理情報を含んでいる場所であるということである。オーディオ／ビデオデータストリームのユーザデータエリアの中にコンテンツ情報を置く効果は、コンテンツ情報がそれを参照するデータエリアに直接リンクされることである。この場合、例えば、コピー動作がそのようなコンテンツ情報を取り扱うために提供されていない装置又は処理によって実行された時でも、これは自動的にコピー動作の中に含まれる。補助データストリームのユーザデータエリアの中にコンテンツ情報を置く効果は、そのような補助データストリームは一般にオーディオ／ビデオデータより頻繁にストレージ媒体上に現れないが、管理情報データよりも頻繁に現れることであり、その結果、それは、それらの解決策に比較して中間の数の位置でのみ提供されている間、それは両方の解決策の効果を提供する。
【０００６】
データストリームのユーザデータエリアの中に保存されたコンテンツ情報は、それぞれのデータストリーム部分に関係する、又はそれぞれのストレージ媒体に関係する、又は複数のストレージ媒体に関係することが好ましい。ユーザデータエリアがそれぞれデータストリームの部分と関係していることの効果は、この解決策が特別な位置に関する非常に選択的な情報に対して可能であることである。そのような特別な部分は、例えば、画像のグループ、一続きの画面、パケット、完全なタイトル、又は、ある時間若しくはデータ量が同等のもの等である。画像のグループ、一続きの画面は、ＭＰＥＧ基準の中に定義されているが、同様の部分は非ＭＰＥＧデータの中にも存在する。特別なストレージ媒体に関係しているコンテンツ情報は、ストレージ媒体のすべてのコンテンツの早い一覧を可能にするという効果を持っている。多数のストレージ媒体に関係しているコンテンツ情報は、ユーザのストレージ媒体のコレクション、例えば、彼又は彼女のＤＶＤディスクのコレクションの完全な一覧を可能にするという効果を持っている。
【０００７】
本発明によれば、ストレージ媒体上に保存されるコンテンツ情報と、読み出し及び／又は書き込み装置の中に存在しているコンテンツ情報は、読み出し及び／又は書き込み装置にストレージ媒体が挿入される、及び／又は該装置から該媒体が取り出される毎回ごとに、比較される。それぞれの情報がお互いに異なっている場合、それぞれの古い情報の更新は、可能なところで行われる。更新の実現は、記録媒体がオーバライトが可能でない時、又、更新に対する能力が提供されていない時に与えられない。本発明による更新方式の効果は、常に最新のコンテンツ情報がストレージ媒体を使用するデバイス上に存在することである。コンテンツ情報がデバイス上で変化した場合、最も最近の情報もストレージ媒体上で利用可能なように作られる。従って、本発明の更新方式を使用した場合、バックアップは、装置のコンテンツ情報メモリ、又は事故で削除若しくは障害になった記録媒体上に保存されているコンテンツ情報のどちらかに存在している。装置が読み出しのみの装置の場合、又はストレージ媒体がライトプロテクトされた場合、又は更新のため十分な時間が残っていない場合、又は同様な状況下では、更新ステップはスキップされる。
【０００８】
コンテンツ情報は、ジャンル情報、及び／又はストレージ媒体の名前、及び／又はタイトルの名前、及び／又は関連したデータの名前を含んでいることが望ましい。これは、更新がユーザにとって最も重要である、及び／又はユーザによって最も変更されると思われるコンテンツ情報に対して実行されるという効果を持つ。
【０００９】
本発明による装置は、本発明による方法を実施するために提供される。
【００１０】
本発明によるストレージ媒体は、ストレージ媒体上に記録されたデータストリームのユーザデータエリアの中に保存されたコンテンツ情報を含んでいる。その中にデータが存在するユーザデータエリアを持っているデータストリームを含んでいる点で、一般的なストレージ媒体と物理的に異なっている。このデータは、はっきり言えば、ストレージ媒体のコンテンツに関した、又は他のストレージ媒体のコンテンツにも関したコンテンツ情報である。
【００１１】
更なる効果は、好ましい実施形態の詳細な説明から受け取られる。これらの記述のほか、特徴の異なった組み合わせは、もちろん本発明の範囲内にある。
【発明を実施するための最良の形態】
【００１２】
図１は、本発明のビデオ記録装置１の図解を示している。記録及び再生部分ＲＥＣは、ディスプレイ２に再生信号を出力する。ディスプレイ２は、マイクロプロセッサｕＰによって提供されるタイマメニューを表示するためにも提供される。マイクロプロセッサｕＰは、ユーザインターフェースＵＩからコマンドを受け取り、開始時間ＳＴと終了時間ＥＴをメモリＭ１に転送する。タイマモードが選択されていた場合、メモリＭ１に設定された時刻ＳＴ、ＥＴにより、記録及び再生部分ＲＥＣは、記録を開始及び終了する。マイクロプロセッサは、所定所要時間ＰＤを受け取るため、及び入力開始時間ＳＴＩから終了時間ＥＴＩを計算するため、所定所要時間メモリＰＤＭにも接続されている。記録媒体８としてのディスクは、記録及び再生部分ＲＥＣの中に挿入されているように示されている。それは、ＤＶＤのような可換型ディスク又はハードディスクであっても良い。装置１は、さらにメモリ９も用意される。装置１は接続手段３も有しており、そこで、可換型媒体５のための外部可換型媒体装置４が装置１に接続され、及び装置１から切断される。
【００１３】
図２には、タイマプログラミング方法の例を示す。ステップＳ０の開始後、ステップＳ１で、標準所定所要時間ＰＤが、所定所要時間メモリＰＤＭの中に設定される。ステップＳ２で、入力開始時間ＳＴＩが受け取られる。ステップＳ３で、計算された終了時間ＥＴＣが、ＥＴＣ＝ＳＴＩ＋ＰＤのように算出される。ステップＳ４で、終了タイプコマンドＣＭＤ１を受け取ったかどうかチェックされる。受け取った場合、ステップＳ４１で、計算された終了時間ＥＴＣが終了時間ＥＴとして扱われ、タイマプログラミングは終了する。そうでなければ、ステップＳ５で２番目のタイプのコマンドＣＭＤ２を受け取ったかどうかチェックされる。そのようなコマンドを受け取っていれば、ステップＳ５１でタイマプログラミングは、終了時間ＥＴＣをさらに計算することなく継続される。タイマプログラムがステップＳ５１の後で終了した時、終了時間ＥＴは入力終了時間ＥＴＩであると扱われるか、それが存在しない場合、最後に計算された終了時間ＥＴＣであると扱われる。ステップＳ５の状態が満たされない場合、ステップＳ６で３番目のタイプのコマンドＣＭＤ３を受け取ったかどうかチェックされる。受け取った場合、所定時間ＰＤが、コマンドＣＭＤ３に従いステップＳ６１で更新され、ステップＳ６２で所定所要時間メモリＰＤＭに入れられる。もし、ステップＳ６の結果が否定、つまり、コマンドが入力されない時、又は選択のため正当なコマンドが入力されない時、ステップＳ４に戻る。コマンド入力が一定時間ない時、このルーチンから抜ける機能が実装されることは好ましいが、ここでは示していない。
【００１４】
図３は、更新ステップＳ６１に関し、タイマプログラミング方法の詳細を示している。ステップＳ６１１で、３番目のタイプのコマンドが、単発のイベントの記録を示しているかどうかチェックされる。単発の場合、所定所要時間メモリＰＤＭが、ステップＳ６１２で１番目の所定所要時間値ＰＤ１で更新される。もし、ステップＳ６１１で、繰り返しのイベントの記録が検出された場合、ステップＳ６１３で異なった所要時間、２番目の所定所要時間値ＰＤ２で更新される。
【００１５】
図４は、タイマプログラミングに関する初期化手順を示している。ステップＳ９１で初期化が開始された後、ユーザ要求が検出される。ステップＳ９２で、標準状態が要求されたかどうかチェックされる。標準状態の場合、ステップＳ９２１で１番目の所定所要時間ＰＤ１に１２０分が設定され、２番目の所定所要時間ＰＤ２に６０分が設定される。ステップＳ９３で、国依存の決定が選択されたことを検出した場合、国情報がステップＳ９３１で決定される。これは、直接ユーザ入力によって、またはすでに存在している国別情報をチェックすることにより行われる。続いて、ステップＳ９３２で、１番目と２番目の所定所要時間ＰＤ１、ＰＤ２が、国依存値ＰＤ１ＣＣ、ＰＤ２ＣＣに設定される。各国ＣＣに対して適切な値を示すテーブルが利用可能であることが好ましい。ステップＳ９４で、チャネル依存の決定が選択されたかどうかチェックする。チャネル依存の決定の場合、ステップＳ９４１で、所定所要時間ＰＤ１、ＰＤ２が、チャネル依存値ＰＤ１ＣＨ、ＰＤ２ＣＨに設定される。これらの値は、各々のテーブルから取られることが好ましい。ステップＳ９５で、ユーザが自分自身で所要時間を決定したいかどうかチェックされ、所定所要時間ＰＤ１、ＰＤ２がステップＳ９５１でユーザから受け取られる。ステップＳ９６で、所定所要時間ＰＤ１、ＰＤ２が所定所要時間メモリＰＤＭに保存される。
【００１６】
図５ａから５ｅは、タイマプログラミング中の異なった表示を示す。選択されたチャネルは、ＣＨによって示され、開始時間と終了時間は、ＳＴＤとＥＴＤとして表示され、タイマプログラミングの日はＤ０からＤ７によって示され、Ｄ０は今日を、Ｄ１は明日を、Ｄ２は明後日を、以下同様に示す。１週間の繰り返しは、ＷＲによって示される。確認コマンドは、ｏｋボタンＯＫによって示される。ａｍ／ｐｍ時間標準が使用される国のため、そのような表示が与えられる。明日から明後日の次の次の日まで、繰り返されるタイマ録画は、日にち表示器Ｄ１、Ｄ２、Ｄ３、Ｄ４が、ユーザによって選択される。
【００１７】
ここで、タイマ設定の時、開始時間より遅いある固定された所要時間に、停止時間を自動的に増加することを記述する。通常、ユーザが新しいタイマを設定した時、またはタイマ設定画面で既存のタイマを修正した時に、この問題は発生し、すべての可能な項目ＣＨ、ＳＴＤ、ＥＴＤが入力される必要があり、さもなければエラーメッセージが表れる。ここで記述された実施形態によれば、デフォルトで、停止時間ＥＴＤが、開始時間である入力開始時間ＳＴＩと同じ開始時間ＳＴＤより１時間遅く設定される。開始時間ＳＴＩが入力されていない場合、現在の時間が開始時間ＳＴＩとして扱われる。この新しい提案で、ユーザは、開始時間を入力するのみで、定まった時間、１時間のような時間と同じ所要時間ＰＤがタイマに設定されるというもっと便利な方法が用意される。これは次のように動作する。ユーザが開始時間を完全に入力した時、つまりＳＴＤの４つの数字を入力した時、多くの場合ユーザは１時間の所要時間でタイマを設定するため、開始時間から１時間進めることで終了時間ＥＴＤが自動的に更新される。これで、１時間がユーザの望ましい記録時間であった場合、終了時間ＥＴＩを入力する必要がなくなる。ユーザは、他の４つの数字を入力することによって、終了時間ＥＴＤを変えることもできる。
【００１８】
所要時間はシステムの中で事前に設定されるが、もちろんこれは、望ましければ、例えば、ある番組の統計的所要時間に基づいた１時間でない値に設定される。ドラマやバラエティショーのような通常の番組は、少なくともアメリカとシンガポールでは通常１時間か半時間である。
【００１９】
新しいタイマが設定された時、タイマ設定画面は、図５ｂで示しているように、デフォルト値で貫かれている。現在のチャネル、ここではチャネル０１が使用され、現在のシステム時刻、例えば１３：５６がデフォルトの開始時間ＳＴＤとして使用され、現在の時間プラス１時間がデフォルトの停止時間ＥＴＤ、ここでは１４：５６として使用されている。本発明による方法で、装置は追加の機能を提供し、その機能は新しいタイマを設定する間に利便さをもたらす。ユーザが開始時間ＳＴＩの４つの数字の入力の終了後、自動的に実際の開始時間ＳＴＤより遅い、事前に定められた所定所要時間が終了時間ＥＴＣに設定され、その結果、自動的に設定された終了時間ＥＴＣが、ユーザのニーズに合っていた時、ユーザは終了時間ＥＴを設定する必要はない。もちろん、計算された終了時間を無効にして、好ましい終了時間ＥＴに設定することはまだ可能である。タイマ頻度に依存し、事前に定められた量の時間ＰＤは１度のタイマに対して１２０分であり、このイベントは映画に最も適しており、他の頻度では、６０分であり、これは、連続ホームコメディ、バラエティショー、及びそのようなものに適している。あまり機敏にしないようにするため、これは、新しいタイマのみに適用され、タイマの修正には適用されない。さらに、通常終了時間は自動的に１回のみ設定される。ユーザがＳＴＤから他のボタンに移動しないだけでなく、開始時間ボタンＳＴＤを強調し、繰り返し開始時間ＳＴＩを完全に入力する、又は繰り返しａｍ／ｐｍを切り替える限り、可能ならば、終了時間ＥＴＤは開始時間ＳＴＤと頻度に従って自動的に更新されることを意味する。
【００２０】
上記で記述されたタイマ設定の方法の応用についていくつかの例を上げる。図５ｃから５ｅは最初の例である。指定されない場合、頻度は１回、つまり単一のイベント記録である。従って、ユーザが新しいタイマを開いた時、規定の終了時間ＥＴＤは開始時間ＳＴＤよりＰＤ＝１２０分遅くなっている。ここで、現在の時間は０８：２０であり、従ってＳＴＤ＝０８：２０とＥＴＤ＝１０：２０となる。チャネルはチャネル０１である。今、ユーザが日にちボタンを押し、頻度をＤ０（一日）からＤ０−Ｄ５（今日が月曜なら、月曜から金曜日、図５ｄ参照）に変化させる。この段階で開始時間ＳＴＤおよび終了時間ＥＴＤの変更は行われない。今、ユーザが開始時間として１０：００を入力した時、ＰＤ２＝６０分が繰り返しイベントとして使用されるため、終了時間は自動的に１１：００に更新される（図５ｅ参照）。開示時間ボタンを離すことなく、ユーザがａｍからｐｍに切り替えた時、開示時間フィールドはそのままであるため、終了時間は１１：００ｐｍに更新される（図示していない）。さらに、開始時間ボタンから離すことなく、ユーザが開始時間を０２：００ａｍに変化させた時、終了時間は自動的に０３：００ａｍに更新される（図示していない）。
【００２１】
今、ユーザが開示時間ボタンから移動し、頻度を変化させ、開始時間ＳＴＤを設定させるために戻ってくる、または終了時間ＥＴＤに行き、終了時間ＥＴＤを変化させ、開始時間ＳＴＤを設定させるために戻ってくるかもしれない。両方の状態では、上記のナビゲーションコマンドが、更なる自動的な更新を望まない２番目のタイプのコマンドに属しているため、終了時間ＥＴＤは自動的に更新されない。しかし、ユーザはこれらを好ましい値に入力できる。
【００２２】
図５ｃ−ｅは２番目の例を示している。指定されない場合、頻度は１回、つまり単一のイベント記録である。従って、ユーザが新しいタイマを開いた時、規定の終了時間ＥＴＤは開始時間ＳＴＤよりＰＤ＝１２０分遅くなっている。ここで、現在の時間は０８：２０であり、従ってＳＴＤ＝０８：２０とＥＴＤ＝１０：２０となる。チャネルはチャネル０１である。今、ユーザが日にちボタンを押し、頻度をＤ０（一日）からＤ０−Ｄ５（月曜から金曜日、図５ｄ参照）に変化させる。この段階で開始時間ＳＴＤおよび終了時間ＥＴＤの変更は行われない。今、ユーザが開始時間として１０：００を入力した時、ＰＤ２＝６０分が繰り返しイベントとして使用されるため、終了時間は自動的に１１：００に更新される（図５ｅ参照）。今、ユーザが開始時間ボタンから移動し、開始時間ボタンに再度戻ってきた時、ナビゲーションコマンドが、これ以上更新を望まない指示と受け取られるため、終了時間は自動的に更新されず、図５ｅのままである。
【００２３】
発明の装置はさらに、ディスクライブラリの特徴を含んでいる。各記録媒体８のコンテンツインデックスは、以下でＥＥＰＲＯＭメモリ９と名付けられるメモリ９の中に保存される。ユーザは、再生したいタイトルをメモリ９の中に保存されたコンテンツインデックスから選択することができる。マイクロプロセッサｕＰは、それゆえ、メモリ９からデータを取り出し、ディスプレイ２にそれぞれのメニューを表示する。表示された情報から、ユーザは、望ましいタイトルを再生するため、いくつかの記録媒体８、特にＤＶＤディスク又は他の可換型ストレージ媒体のどれかを、装置１に挿入すればよいかを知ることができる。ＥＥＰＲＯＭメモリ９上のディスクライブラリ情報の最適化されたストレージが提案される。本発明は、ディスク８上に記録されたタイトルを保存しているＥＥＰＲＯＭメモリ９の柔軟な管理を提供する。
【００２４】
保存されるディスク８の数及びディスク８毎のタイトル数を前もって決めておく代わりに、ＥＥＰＲＯＭメモリ９が満杯になるまで、連続してディスク８のタイトルをすべて、次のディスク８も同じようにして、ユーザがＥＥＰＲＯＭメモリ９に記録することを提案される。これはユーザによりよい自由度を与えるという効果を持つ。以下は、この特徴についてのある説明である。各ディスク８は一意な数が割り当てられている。１つ又は複数の記録を有し、一意な数を有しているディスク８が、ディスク番号に割り当てられる。ディスク８上に記録されたすべてのタイトルは、ディスク番号によって関係づけられ、リンクされる。この情報はＥＥＰＲＯＭメモリ９の中に保存される。ソフトウェア、つまりマイクロプロセッサｕＰによって生成されるフリーＥＥＰＲＯＭトークンリストがある。例えば、１番目のタイトルがディスク８から削除された場合、対応するＥＥＰＲＯＭの場所がフリーになる。次の記録は、‘フリーＥＥＰＲＯＭトークンリスト’の中の１番目の可能なＥＥＰＲＯＭの位置を得て、対応する情報がこの位置の保存される。
【００２５】
図６のフローチャートは、ディスクライブラリリンクリストの生成を示している。ステップＳ６０１でディスクリンクリストが作成される。これに続くステップＳ６０２でタイトルリンクリストが生成される。この後のステップＳ６０３で、メモリ９の中のすべての可能な空間のリスト、いわゆるフリーＥＥＰＲＯＭトークンリンクリストが生成される。この後のステップＳ６０４で、サービスのための要求メッセージを待つ。
【００２６】
図７のフローチャートは、ＥＥＰＲＯＭメモリ９からディスク８又はディスク８のタイトルがどのように追加及び削除されるかを示している。ユーザ入力から受け取る、又は装置の他のユニットから生成されるメッセージ７００の内容に従って、それぞれステップＳ７０１又はＳ７０３に進む。ステップＳ７０１の中で、ディスク８についての情報又はディスク８のタイトルについての情報は、メモリ９に追加される。ステップＳ７０２の中でそのようにするため、メモリ９の中の１番目の可能な場所が、フリーＥＥＰＲＯＭトークンリンクリストの中から検索される。それぞれの情報が見つかった場所に保存され、ステップＳ７０４で、フリーＥＥＰＲＯＭトークンリンクリストが、もはや上記位置を含んでいないと更新される。ステップＳ７０３でディスク８の情報又はディスク８のタイトルについての情報は、メモリ９から削除される。これが実行され、続いてフリーＥＥＰＲＯＭトークンリンクリストが、ステップＳ７０４で対応するメモリ位置が含まれるように更新される。
【００２７】
図８は、ストレージ媒体９００の概要を示す。ストレージ媒体９００は、異なった部分９０３、９１３を持っているディスク、例えば、デジタルビデオディスクＤＶＤとして図示される。それらの部分９０３、９１３のトラック９０４が、概念的に図示されている。
【００２８】
トラック９０４の拡大した部分が示されている。らせん又は同心に配置されたトラック９０４の複数の平行な部分が見られる。トラックは、異なったデータ要素ブロック９０５を含んでいるデータストリーム９０１を含んでいる。異なったデータ要素ブロック９０５は、それが音楽データを含んでいる場合、ＡＵＤと示され、ビデオデータを含んでいる場合、ＶＩＤと示され、予備データを含んでいる場合、ＡＵＸを示され、管理情報を含んでいる場合、ＩＮＦと示される。ヘッダエリア９０６とペイロードエリア９０７を含んでいるデータ要素ブロック９０５の１つをさらに拡大した図が示されている。ヘッダエリア９０６は、ユーザデータエリア９０２と同様にヘッダ情報（図示されていない）を含んでいる。ユーザエリア９０２は、ここでは記載されていない他のものの中に、コンテンツ情報ＣＩを含んでいる。ペイロードエリア９０７中に、ペイロードブロック９０８が示されており、ペイロードブロック９０８は、それ自身の中に、コンテンツ情報ＣＩが含まれているユーザデータエリア９１２を含んでいる。コンテンツ情報ＣＩは、データストリーム部分９０３、９１３に関連したコンテンツ情報ＣＩＰ又は対応するストレージ媒体１に関係するコンテンツ情報ＣＩＤ又は多数のストレージ媒体１、つまりディスクライブラリに関係するコンテンツ情報ＣＩＬの１つである。
【００２９】
あるディスク８に関する情報を表示するため、ＥＥＰＲＯＭメモリ９は、特定のディスク番号に関するすべての見出しについて探される。
【００３０】
ディスクライブラリは、ジャンル情報を含んでいることが好ましく、それらは例えばミュージカル、演劇等のように格付けされる。
【００３１】
あるディスク８上の記録に関するジャンル情報は、再生／記録装置１のＥＥＰＲＯＭメモリ９の中に保たれている。従って、装置１で利用可能である。
【００３２】
本発明によれば、ジャンルについての情報は、ディスク８上のデータストリームの中の特別なユーザデータエリア中と同様に、ＥＥＰＲＯＭメモリ９の中に保存される。従って、ディスクライブラリは装置１に依存しない。各ディスク８は、メモリ９の中の情報が変化しない限り、装置１と同じライブラリ情報を含んでいる。再書き込み可能なディスクが使用された時、それも更新される。
【００３３】
これは、ユーザのディスクライブラリがあるマシンだけではなく、複数のディスク８上で利用可能になるという効果を有する。従って、マシンが他のマシンに置き換わっても失われることはない。ユーザが複数の再生及び／又は記録装置１を使用した場合でも、それらのすべてが、ディスク８の交換によって同一のライブラリ情報に更新される。
【００３４】
ＸＤＳ又はＭＰＥＧでは異なっており、そのような情報は他の場所に保存されるので、提案に従って、そのような情報は定まった場所に保存される。
【００３５】
記録が終わった後、選択されたディスク情報は、メモリ９の中のシステムディスクライブラリに更新される。保存される情報の１つはジャンルである。ユーザは、ユーザインターフェース画面２で、ジャンル設定を修正したり、設定したりすることができる。ユーザが他の互換性のある記録マシンでジャンル設定を変えた場合、システムが最新のジャンル設定を持つことができるようにするため、ジャンルについての情報は、ディスク８上のデータストリームの中の特別なユーザデータエリアの中に保存される。従って、ディスクライブラリは装置１に依存していない。各ディスク８はライブラリ情報を保存している。
【００３６】
ディスク上のデータストリームの中の特別なユーザデータエリアは、ユーザデータフィールド情報を記録しているビデオ記録管理情報であることが好ましい。そのようなフィールドは通常、記録媒体のための標準として提供されている。この選択の利点は、そのようなフィールドは標準を破ることなく、新しい定義のために提供されていることである。そのようなフィールドは、記録されてデータストリームより直接に、もっと高レベルで簡単にアクセスできる。もちろん、データストリームそれ自体のユーザデータフィールドは、ジャンル情報を保存するために使用されることも効果的である。この場合、記録された特別なデータ、例えば再生装置又は非準拠の装置によって作成された複製、の中を探すことなく装置がアクセス可能でもある。
【００３７】
詳細は、ジャンル情報に言及してきたが、他のユーザが変化できる情報も、本発明により取り扱われることで効果がある。そのようなユーザが変化できる情報は、他の中で、特別なディスクの名前、タイトルの名前、ソースの名前、放送局の名前、ペアレンタルコントロール情報、又はサムネイル若しくは、記録、要約に関した画像のような追加のデータの名前がある。
【図面の簡単な説明】
【００３８】
【図１】本発明の装置の図面である。
【図２】タイマプログラミング方法
【図３】タイマプログラミング方法の詳細
【図４】タイマプログラミング記録の初期化
【図５】タイマプログラミング中の異なった表示
【図６】ディスクライブラリリンクリストの生成
【図７】メモリへの追加及びメモリからの削除
【図８】ディスク上のディスクライブラリの配列
【符号の説明】
【００３９】
１  装置
２  ディスプレイ
３  接続手段
４  外部可換型媒体装置
５  可換型媒体
８  記録媒体
９  メモリ
９００  ストレージ媒体
９０１  データストリーム
９０２  ユーザデータエリア
９０３、９１３  データストリーム部分
９０４  トラック
９０５  データ要素ブロック
９０６  ヘッダエリア
９０７  ペイロードエリア
９０８  ペイロードブロック
９１２  ユーザデータエリア
【図１】
2008503017.tif 000003
【図２】
2008503017.tif 000004
【図３】
2008503017.tif 000005
【図４】
2008503017.tif 000006
【図５ａ】
2008503017.tif 000007
【図５ｂ】
2008503017.tif 000008
【図５ｃ】
2008503017.tif 000009
【図５ｄ】
2008503017.tif 000010
【図５ｅ】
2008503017.tif 000011
【図６】
2008503017.tif 000012
【図７】
2008503017.tif 000013
【図８】
2008503017.tif 000014
【手続補正書】
【提出日】平成19年2月16日(2007.2.16)
【手続補正１】
【補正対象書類名】特許請求の範囲
【補正対象項目名】請求項１
【補正方法】変更
【補正の内容】
【請求項１】
コンテンツ情報（ＣＩＰ、ＣＩＤ、ＣＩＬ）を生成した後、該コンテンツ情報（ＣＩＰ、ＣＩＤ、ＣＩＬ）が、ストレージ媒体（９００）上に保存されるオーディオ／ビジュアルストレージ媒体（９００）に関するコンテンツ情報の更新の方法であって、
ストレージ媒体（９００）が、ヘッダデータ（９０６）とペイロードデータ（９０７）から構成され、かつ、ユーザデータエリア（９０２、９１２）を含んでいるデータ要素ブロック（９０５）のデータストリーム（９０１）で記録され、更新コンテンツ情報（ＣＩＰ、ＣＩＤ、ＣＩＬ）が、ストレージ媒体（９００）上に保存されたデータストリーム（９０１）のユーザデータエリア（９０２、９１２）の中に保存されることを特徴とするコンテンツ情報の更新の方法。
【国際調査報告】
2008503017.tif 000015
2008503017.tif 000016
2008503017.tif 000017
2008503017.tif 000018